(57)【要約】【課題】少ない信号の授受で通信網に接続することのできるサーバ、通信ネットワークシステム、通信方法、及び、移動体通信端末、を提供する。【解決手段】ＷＰＣＧ３０は、ＩＳＰサーバ４０より、ＭＳ１０からの接続要求信号Ｓ２０１〜Ｓ２０４に応答するための接続通知応答信号Ｓ２０５を受信した場合に、パケット交換サーバＩＰアドレスを内包した接続通知応答信号Ｓ２０６を、Ｃ−Ｐｌａｎｅプロトコルに従って、ＭＳ１０に送信する。ＭＳ１０は、接続通知応答信号Ｓ２０６に内包されるパケット交換サーバＩＰアドレスで識別されるＷＰＣＧ３０とのＴＣＰコネクションを、Ｕ−Ｐｌａｎｅプロトコルに従って確立し、ＭＳ１０とＩＳＰサーバ４０との間の通信回線の接続を行うことができるようにした。【選択図】      図５
2005027098.tif 000002
【特許請求の範囲】
【請求項１】
通信網への接続要求を受信するサーバにおいて、
前記サーバを前記通信網において一意に識別するための通信アドレスを記憶する通信アドレス記憶手段と、
前記通信アドレス記憶手段に記憶された通信アドレスを、前記通信網への接続要求に応答する信号と共に、制御信号伝送用のプロトコルに従って送信する応答信号送信手段とを備え、
前記通信アドレスの送信先が、該通信アドレスで識別される前記サーバとの通信コネクションを、ユーザデータ伝送用のプロトコルに従って確立し、前記通信網と接続できるようにしたことを特徴とするサーバ。
【請求項２】
前記通信網はインターネット網であり、前記通信アドレスはＩＰ（Ｉｎｔｅｒｎｅｔ  Ｐｒｏｔｏｃｏｌ）アドレスであることを特徴とする請求項１に記載のサーバ。
【請求項３】
移動体通信端末が、接続対象サーバとの通信回線の接続を要求するための接続要求信号を、他のサーバを介して送信することにより、前記移動体通信端末と前記接続対象サーバとの間の通信回線を接続する通信ネットワークシステムにおいて、
前記他のサーバは、
前記接続対象サーバより、前記接続要求信号に応答するための応答信号を受信した場合に、
自サーバを識別するための通信アドレスを、前記応答信号と共に、制御信号伝送用のプロトコルに従って、前記移動体通信端末に送信する応答信号送信手段を備え、
前記移動体通信端末が、受信した前記通信アドレスで識別されるサーバとの通信コネクションを、ユーザデータ伝送用のプロトコルに従って確立し、前記移動体通信端末と前記接続対象サーバとの間の通信回線を接続することができるようにした
ことを特徴とする通信ネットワークシステム。
【請求項４】
移動体通信端末が、接続対象サーバとの通信回線の接続を要求するための接続要求信号を、他のサーバを介して送信することにより、前記移動体通信端末と前記接続対象サーバとの間の通信回線を接続する通信方法において、
前記他のサーバが、前記接続対象サーバより、前記接続要求信号に応答するための第一の接続通知応答信号を受信した場合に、自サーバを識別するための通信アドレスを内包した第二の接続通知応答信号を、制御信号伝送用のプロトコルに従って、前記移動体通信端末に送信する応答ステップと、
前記移動体通信端末が、前記応答ステップにおいて送信された、前記第二の接続通知応答信号を受信した直後に、ユーザデータ伝送用のプロトコルに従って、前記第二の接続通知応答信号に内包される通信アドレスで識別される前記他のサーバとの通信コネクションを確立する接続ステップと
を有する通信方法。
【請求項５】
接続対象サーバに、通信回線の接続を要求するための接続要求信号を、他のサーバを介して送信することより、前記接続対象サーバとの通信回線を接続する移動体通信端末において、
前記接続対象サーバより、前記接続要求信号に応答するための接続通知応答信号を、Ｃ−Ｐｌａｎｅ（Ｃｏｎｔｒｏｌ  Ｐｌａｎｅ）プロトコルに従って、前記他のサーバを介して受信する応答信号受信手段と、
前記応答信号受信手段により受信された接続通知応答信号に内包される、前記他のサーバを識別するための通信アドレスを用いて、Ｕ−Ｐｌａｎｅ（Ｕｓｅｒ  Ｐｌａｎｅ）プロトコルに従って、前記他のサーバとの通信コネクションを確立する接続手段と
を有することを特徴とする移動体通信端末。
【発明の詳細な説明】
【０００１】
【発明の属する技術分野】
本発明は、通信網に接続するためのサーバ、通信ネットワークシステム、通信方法、及び、移動体通信端末に関し、特に、移動体通信端末よりインターネット網に接続するためのサーバ、通信ネットワークシステム、通信方法、及び、移動体通信端末に関する。
【０００２】
【従来の技術】
近年では、インターネット網に接続し、当該インターネット網上のサーバとＨＴＴＰ（Ｈｙｐｅｒ  Ｔｅｘｔ  Ｔｒａｎｓｆｅｒ  Ｐｒｏｔｏｃｏｌ）に従った通信を行うことができるモバイル端末が普及している。モバイル端末よりインターネット網に接続する仕組みとしては、まず、モバイル端末とインターネット上のサーバとの間で制御信号を授受することにより、制御コネクションを設定し、その後、ユーザデータを送受信するための通信コネクションを確立する仕組みが知られている（例えば、非特許文献１）。
【０００３】
図８は、非特許文献１に開示されている技術を、モバイル端末とＩＳＰ（Ｉｎｔｅｒｎｅｔ  Ｓｅｒｖｉｃｅ  Ｐｒｏｖｉｄｅｒ；インターネットサービスプロバイダ）の所有するサーバとの間の通信シーケンスとして示したものである。図中の、ＭＳ（Ｍｏｂｉｌｅ  Ｓｔａｔｉｏｎ）はモバイル端末、ＭＭＳ（Ｍｏｂｉｌｅ  Ｍｕｌｔｉｍｅｄｉａ  ｓｗｉｔｃｈｉｎｇ  Ｓｙｓｔｅｍ）とＧＭＭＳ（Ｇａｔｅｗａｙ  Ｍｏｂｉｌｅ  Ｍｕｌｔｉｍｅｄｉａ  ｓｗｉｔｃｈｉｎｇ  Ｓｙｓｔｅｍ）は、パケット交換ネットワークを構成する交換機、ＷＰＣＧ（Ｗｉｒｅｌｅｓｓ  Ｐｒｏｔｏｃｏｌ  Ｃｏｎｖｅｒｓｉｏｎ  Ｇａｔｅｗａｙ）はゲートウェイの機能を有するパケット交換サーバ、ＩＳＰサーバはインターネットサービスプロバイダの所有するインターネット網上のサーバを示す。
【０００４】
この図８に示す通信ネットワークシステムにおけるＭＳ、ＭＭＳ、ＧＭＭ間の信号伝送方式は、第３世代移動通信システム（ＩＭＴ−２０００；Ｉｎｔｅｒｎａｔｉｏｎａｌ  Ｍｏｂｉｌｅ  Ｔｅｌｅｃｏｍｍｕｎｉｃａｔｉｏｎ  ２０００）の標準規格である３ＧＰＰ（３ｒｄ  Ｇｅｎｅｒａｔｉｏｎ  Ｐａｒｔｎｅｒ  Ｐｒｏｊｅｃｔ）に準拠して構成されている。
図中、ＭＳ、ＭＭＳ、ＧＭＭＳ間の信号（図中の信号Ｓ１０１、Ｓ１０２、Ｓ１０７、Ｓ１０８）は、回線制御プロトコル１に従って送信される。また、ＧＭＭＳとＷＰＣＧとの間の信号（図中の信号Ｓ１０３、Ｓ１０６）は、回線制御プロトコル２に従って送信される。また、ＷＰＣＧとＩＳＰサーバとの間の信号（図中の信号Ｓ１０４、Ｓ１０５）は、回線制御プロトコル３に従って送信される。これらの回線制御プロトコル１〜３を総称して、Ｃ−Ｐｌａｎｅプロトコルと呼ぶ。
【０００５】
ここで、Ｃ−Ｐｌａｎｅプロトコルとは、制御信号伝送用のプロトコルである。具体的には、Ｃ−Ｐｌａｎｅプロトコルは、ユーザデータの転送に先立って、呼の接続・解放等に関わる制御信号のシグナリングのみを行うプロトコルである。
また、信号Ｓ１０９、Ｓ１１０は、ＷＰＣＧのアドレス解決を行うためのドメインネームサーバへの問い合わせ処理を示す。また、図中の信号Ｓ１１１、Ｓ１１２は、ＨＴＴＰに従ったパケット通信（以下、「ＨＴＴＰ通信」という）を行うためのＴＣＰ（Ｔｒａｎｓｍｉｓｓｉｏｎ  Ｃｏｎｔｒｏｌ  Ｐｒｏｔｏｃｏｌ）コネクション確立処理を示し、図中の「通信中」で示したＳ１１３は、ＨＴＴＰ通信を示す。
【０００６】
信号Ｓ１１１とＳ１１２とで示されるＴＣＰコネクションが確立されると、ＭＳはインターネット網に接続された状態（ＭＳとＩＳＰサーバとの間でパケット通信を行うための通信回線が接続された状態）となり、ＭＳは、ＩＳＰサーバとＨＴＴＰ通信Ｓ１１３を行うことが可能となる。
信号Ｓ１０９〜Ｓ１１３を送受信するためのプロトコルを総称して、Ｕ−Ｐｌａｎｅプロトコルと呼ぶ。Ｕ−Ｐｌａｎｅプロトコルとは、ユーザデータ伝送用のプロトコルである。Ｕ−Ｐｌａｎｅプロトコルには、ＤＮＳ（Ｄｏｍａｉｎ  Ｎａｍｅ  Ｓｙｓｔｅｍ）、ＴＣＰ、ＨＴＴＰが含まれる。具体的には、Ｕ−Ｐｌａｎｅプロトコルは、例えば、ＤＮＳによるアドレス解決や、ＴＣＰコネクションの確立や、ＨＴＴＰリクエスト／レスポンスの中継を行うプロトコルである。
【０００７】
次に、同図を参照しながら、ＭＳがインターネット網上のＩＳＰサーバと接続する手順を説明する。
まず、ユーザは、接続先のＩＳＰサーバを表すアクセスポイント名（ＡＰＮ；Ａｃｃｅｓｓ  Ｐｏｉｎｔ  Ｎａｍｅ）を指定して、ＭＳより接続の指示を行う。
これにより、まず、Ｃ−Ｐｌａｎｅプロトコルによる接続処理（以下、「Ｃ−Ｐｌａｎｅ接続」という）が行われる。
【０００８】
具体的には、まず、ＭＳは、ＡＰＮを内包した、Ａｃｔｉｖａｔｅ  ＰＤＰ  Ｃｏｎｔｅｘｔ  Ｒｅｑｕｅｓｔ（接続要求信号）Ｓ１０１を、回線制御プロトコル１に従って送信する。
ＭＭＳは、Ａｃｔｉｖａｔｅ  ＰＤＰ  Ｃｏｎｔｅｘｔ  ＲｅｑｕｅｓｔＳ１０１を受信し、当該データに内包されるＡＰＮから、接続すべきＧＭＭＳを特定するためのアドレス解決処理を行う。そして、ＭＭＳは、接続すべきＧＭＭＳに、回線制御プロトコル１に従って、Ｃｒｅａｔｅ  ＰＤＰ  Ｃｏｎｔｅｘｔ  Ｒｅｑｕｅｓｔ（呼設定要求信号）Ｓ１０２を送信する。
【０００９】
ＧＭＭＳは、Ｃｒｅａｔｅ  ＰＤＰ  Ｃｏｎｔｅｘｔ  ＲｅｑｕｅｓｔＳ１０２を受信すると、予め自サーバに割り当てられているＩＰアドレスの中から、ＭＳに割り振るべきＩＰアドレスを決定する。また、ＧＭＭＳは、当該呼を識別するためのコネクションＩＤを割り振る。そして、ＧＭＭＳは、回線制御プロトコル２に従って、コネクションＩＤを付加した接続通知信号Ｓ１０３を、ＷＰＣＧに送信する。
【００１０】
ＷＰＣＧは、接続通知信号Ｓ１０３を受信すると、当該接続通知信号Ｓ１０３に内包されているＡＰＮよりＩＳＰサーバを特定し、ＩＳＰサーバの情報（ＩＰアドレス等）を管理する。そして、ＷＰＣＧは、回線制御プロトコル３に従って、透過的に（Ｔｒａｎｓｐａｒｅｎｔ；データの内容を書き換えることなく、プロトコル変換を行ったり、ヘッダ情報を書き換えるのみで）、接続通知信号Ｓ１０４を、ＩＳＰサーバに送信する。
【００１１】
接続通知信号Ｓ１０４を受信したＩＳＰサーバは、ＭＳが自サーバに接続可能か否かを判定する。ここでは、ＩＳＰサーバは、接続可能と判定し、接続可能の情報（理由表示“ＯＫ”）を内包した接続通知応答信号Ｓ１０５を、ＷＰＣＧへ送信する。
ＷＰＣＧは、接続通知応答信号Ｓ１０５を受信すると、透過的に、図９に示すデータ構成の接続通知応答信号Ｓ１０６を、ＧＭＭＳに送信する。
【００１２】
なお、図９に示すように、接続通知応答信号Ｓ１０６は、ＭＳがＩＳＰサーバに接続可能か否かを表す「理由表示」と、呼を識別するための「コネクションＩＤ」とを含んで構成されている。
ＧＭＭＳは、接続通知応答信号Ｓ１０６を受信すると、ＭＳに割り振られたＩＰアドレスからＷＰＣＧのＩＰアドレス（以下、「パケット交換サーバＩＰアドレス」という）を取得するためのドメインネームサーバを判定する。そして、ＧＭＭＳは、ＭＳのＩＰアドレスと、判定されたドメインネームサーバのＩＰアドレスとを内包したＣｒｅａｔｅ  ＰＤＰ  Ｃｏｎｔｅｘｔ  Ｒｅｓｐｏｎｓｅ（呼設定応答信号）Ｓ１０７を生成し、ＭＭＳに送信する。
【００１３】
ＭＭＳは、Ｃｒｅａｔｅ  ＰＤＰ  Ｃｏｎｔｅｘｔ  ＲｅｓｐｏｎｓｅＳ１０７を受信し、透過的に、Ａｃｔｉｖａｔｅ  ＰＤＰ  Ｃｏｎｔｅｘｔ  Ａｃｃｅｐｔ（接続応答信号）Ｓ１０８を、ＭＳに送信する。
以上のＣ−Ｐｌａｎｅ接続により、ＭＳとＩＳＰサーバとの間に、制御コネクションが設定される。具体的には、ＭＳとＭＭＳとの間には無線アクセス回線が設定され、ＭＭＳとＧＭＭＳとの間にはパケット用の論理チャネルであるＡＴＭ−ＳＶＣ（Ａｓｙｎｃｈｒｏｎｏｕｓ  Ｔｒａｎｓｆｅｒ  Ｍｏｄｅ−Ｓｗｉｔｃｈｅｄ  Ｖｉｒｔｕａｌ  Ｃｏｎｎｅｃｔｉｏｎ）が設定される。
【００１４】
次に、ＭＳは、Ｃ−ＰｌａｎｅプロトコルによりＡｃｔｉｖａｔｅ  ＰＤＰ  Ｃｏｎｔｅｘｔ  ＡｃｃｅｐｔＳ１０８を受信すると、Ｕ−Ｐｌａｎｅプロトコルに従って、ユーザデータを送受信するための通信回線を接続する処理を行う（以下、「Ｕ−Ｐｌａｎｅ接続」という）。
具体的には、ＭＳは、Ａｃｔｉｖａｔｅ  ＰＤＰ  Ｃｏｎｔｅｘｔ  ＡｃｃｅｐｔＳ１０８に内包されている、ＭＳのＩＰアドレスとドメインネームサーバのＩＰアドレスとを抽出する。そして、ＭＳは、当該ＭＳのＩＰアドレスからパケット交換サーバＩＰアドレスを問い合わせるためのＤＮＳ要求Ｓ１０９を生成する。ＭＳは、当該ＤＮＳ要求Ｓ１０９を、ドメインネームサーバのＩＰアドレスで識別されるドメインネームサーバ宛てに送信する。
【００１５】
ドメインネームサーバは、ＤＮＳ要求Ｓ１０９を受信し、ＭＳのＩＰアドレスに対応するパケット交換サーバＩＰアドレスを、自サーバより読み出す。そして、ドメインネームサーバは、当該パケット交換サーバＩＰアドレスを内包するＤＮＳ応答Ｓ１１０を生成し、ＭＳに送信する。
ＭＳは、ＤＮＳ応答Ｓ１１０を受信し、当該ＤＮＳ応答Ｓ１１０に内包されるパケット交換サーバＩＰアドレスを送信先アドレスとし、ＭＳのＩＰアドレスを送信元アドレスとして、ＴＣＰコネクション接続要求信号（ＳＹＮパケット）を生成する。そして、ＭＳは、生成したＴＣＰコネクション接続要求信号を、送信先アドレスで識別されるＷＰＣＧ宛てに送信する。これにより、いわゆる３Ｗａｙハンドシェイクにより、ＭＳとＷＰＣＧとの間には、ＴＣＰコネクションＳ１１１が確立される。
【００１６】
また、ＷＰＣＧは、ＭＳからＴＣＰコネクション接続要求信号を受信した際に、プロキシサーバとして動作し、ＩＳＰサーバに対してＵ−Ｐｌａｎｅ接続を行う。すなわち、ＷＰＣＧは、ＩＳＰサーバのＩＰアドレスを送信先アドレスとし、ＷＰＣＧのＩＰアドレスを送信元アドレスとするＳＹＮパケットを送信し、３Ｗａｙハンドシェイクにより、ＩＳＰサーバとの間のＴＣＰコネクションＳ１１２を確立する。
これにより、ＭＳはインターネット網に接続された状態（ＭＳとＩＳＰサーバとの間の通信回線が接続された状態）となり、ＭＳは、ＩＳＰサーバとＨＴＴＰ通信Ｓ１１３を行うことが可能となる。
【００１７】
【非特許文献１】
“ＦＯＭＡサービスを利用するための技術参考資料  付録４  第１．０版”Ｐ．１１、［ｏｎｌｉｎｅ］、２００１／１０／０１、株式会社エヌ・ティ・ティ・ドコモ編、［平成１５年６月９日検索］、インターネット＜ＵＲＬ：ｈｔｔｐ：／／ｗｗｗ．ｎｔｔｄｏｃｏｍｏ．ｃｏ．ｊｐ／ｃｏｒｐｏｒａｔｅ／ｒ＿ｄ／ｐｄｆ／ｆｏｍａ４．ｐｄｆ＞
【００１８】
【発明が解決しようとする課題】
以上説明したような、従来のＭＳが行うインターネット接続においては、ＭＳが接続要求信号を送信してからインターネット網に接続するまでに、多くの信号が授受されていた。図８に示した通信シーケンスを採用したネットワークシステムにおいては、ＭＳとＭＭＳとの間の信号の伝送は無線通信により行われるため、有線による通信に比べて伝送遅延が大きい。従来のインターネット接続においては、このような伝送遅延が大きい無線通信の区間を、多くの信号が授受されていたために、さらに伝送遅延が増大していた。
【００１９】
本発明は、上述した従来の問題点を解決するためになされたものであり、その目的は、少ない信号の授受で通信網に接続することのできるサーバ、通信ネットワークシステム、通信方法、及び、移動体通信端末、を提供することである。
【００２０】
【課題を解決するための手段】
上記課題を解決するために、本発明による請求項１は、通信網への接続要求を受信するサーバにおいて、前記サーバを前記通信網において一意に識別するための通信アドレスを記憶する通信アドレス記憶手段と、前記通信アドレス記憶手段に記憶された通信アドレスを、前記通信網への接続要求に応答する信号と共に、制御信号伝送用のプロトコルに従って送信する応答信号送信手段とを備え、前記通信アドレスの送信先が、該通信アドレスで識別される前記サーバとの通信コネクションを、ユーザデータ伝送用のプロトコルに従って確立し、前記通信網と接続できるようにしたことを特徴とするサーバを提供する。
【００２１】
請求項１に記載の発明によれば、前記サーバが、該サーバを前記通信網において一意に識別するための通信アドレスを、前記応答信号と共に前記制御信号伝送用のプロトコルに従って送信し、前記送信先に前記サーバの通信アドレスを直接通知するようにしたため、前記送信先は、従来のように、ドメインネームサーバに対して前記サーバの通信アドレスを問い合わせるための信号の授受を行うことなく、効率的に、前記サーバとの通信コネクションを確立することができる。このように信号の授受が少なくなることにより、前記接続要求信号を送信してから前記通信網へ接続するまでの時間を短縮することができる。また、信号の授受が少なくなることにより、授受されるデータ量が減少するため、データ従量制による課金制の場合に、通信料を従来よりも低減することが可能となる。また、従来必要であった、前記サーバのアドレス解決を行うためのドメインネームサーバが必要なくなり、ドメインネームサーバを構築する手間が省ける。
【００２２】
請求項２に記載の発明は、請求項１に記載のサーバにおいて、前記通信網はインターネット網であり、前記通信アドレスはＩＰアドレスであることを特徴とする。
請求項２に記載の発明によれば、請求項１に記載のサーバは、インターネット網に接続するための中継装置として利用するのに適している。
【００２３】
請求項３に記載の発明は、移動体通信端末が、接続対象サーバとの通信回線の接続を要求するための接続要求信号を、他のサーバを介して送信することにより、前記移動体通信端末と前記接続対象サーバとの間の通信回線を接続する通信ネットワークシステムにおいて、前記他のサーバは、前記接続対象サーバより、前記接続要求信号に応答するための応答信号を受信した場合に、自サーバを識別するための通信アドレスを、前記応答信号と共に、制御信号伝送用のプロトコルに従って、前記移動体通信端末に送信する応答信号送信手段を備え、前記移動体通信端末が、受信した前記通信アドレスで識別されるサーバとの通信コネクションを、ユーザデータ伝送用のプロトコルに従って確立し、前記移動体通信端末と前記接続対象サーバとの間の通信回線を接続することができるようにしたことを特徴とする通信ネットワークシステムを提供する。
【００２４】
請求項３に記載の発明によれば、前記通信ネットワークシステムは、前記移動体通信端末に、前記制御信号伝送用のプロトコルに従って、前記応答信号と共に、前記他のサーバの通信アドレスを通知するようにしたので、前記移動体通信端末は、ドメインネームサーバに前記他のサーバの通信アドレスを問い合わせることなく、受信した前記通信アドレスを用いて、前記他のサーバとの通信コネクションを確立することができる。このため、前記通信ネットワークシステムにおいては、前記移動体通信端末が前記接続要求信号を送信してから、前記接続対象サーバと接続するまでの信号の授受を減らすことができる。このため、特に、無線通信により信号の伝送が行われる区間が存在し、大きな伝送遅延が発生し易い前記通信ネットワークシステムにおいては、前記移動体通信端末が、前記接続要求信号を送信してから、前記接続対象サーバと通信回線を接続するまでの時間を短縮することが可能となる。また、上述と同様に、データ従量制課金による通信料の低減や、ドメインネームサーバの廃止を実現できる。
【００２５】
請求項４に記載の発明は、移動体通信端末が、接続対象サーバとの通信回線の接続を要求するための接続要求信号を、他のサーバを介して送信することにより、前記移動体通信端末と前記接続対象サーバとの間の通信回線を接続する通信回線接続方法において、前記他のサーバが、前記接続対象サーバより、前記接続要求信号に応答するための第一の接続通知応答信号を受信した場合に、自サーバを識別するための通信アドレスを内包した第二の接続通知応答信号を、制御信号伝送用のプロトコルに従って、前記移動体通信端末に送信する応答ステップと、前記移動体通信端末が、前記応答ステップにおいて送信された、前記第二の接続通知応答信号を受信した直後に、ユーザデータ伝送用のプロトコルに従って、前記第二の接続通知応答信号に内包される通信アドレスで識別される前記他のサーバとの通信コネクションを確立する接続ステップとを有する通信方法を提供する。
【００２６】
請求項４に記載の発明によれば、前記移動体通信端末が、前記応答ステップにおいて、前記制御信号伝送用のプロトコルに従って送信された、前記第二の接続通知応答信号を受信した直後に、ユーザデータ伝送用のプロトコルに従って、前記第二の接続通知応答信号に内包される通信アドレスで識別される前記他のサーバとの通信コネクションを確立する手順としたため、前記移動体通信端末は、前記第二の接続通知応答信号を受信した後、ドメインネームサーバに前記接続対象サーバの通信アドレスを問い合わせる信号を発生させることなく、前記第二の接続通知応答信号に内包される通信アドレスを用いて、即座に、前記接続対象サーバと通信回線を接続することができる。このため、前記通信方法においては、前記移動体通信端末が前記接続要求信号を送信してから、少ない信号のやり取りで、前記接続対象サーバと通信回線を接続することが可能となり、通信回線を接続するまでの時間を短縮することができる。また、上述と同様に、データ従量制課金による通信料の低減や、ドメインネームサーバの廃止を実現できる。
【００２７】
請求項５に記載の発明は、接続対象サーバに、通信回線の接続を要求するための接続要求信号を、他のサーバを介して送信することより、前記接続対象サーバとの通信回線を接続する移動体通信端末において、前記接続対象サーバより、前記接続要求信号に応答するための接続通知応答信号を、Ｃ−Ｐｌａｎｅプロトコルに従って、前記他のサーバを介して受信する応答信号受信手段と、前記応答信号受信手段により受信された接続通知応答信号に内包される、前記他のサーバを識別するための通信アドレスを用いて、Ｕ−Ｐｌａｎｅプロトコルに従って、前記他のサーバとの通信コネクションを確立する接続手段とを有することを特徴とする移動体通信端末を提供する。
【００２８】
請求項５に記載の発明によれば、前記移動体通信端末が、制御信号を伝送するためのＣ−Ｐｌａｎｅプロトコルにより受信した接続通知応答信号には、前記他のサーバを識別するための通信アドレスが内包されているため、前記移動体通信端末は、ドメインネームサーバに前記接続対象サーバの通信アドレスを問い合わせることなく、前記接続通知応答信号に内包されている通信アドレスを用いて、Ｕ−Ｐｌａｎｅプロトコルに従って、即座に、前記他のサーバとの通信コネクションを確立することができる。このため、前記移動体通信端末は、前記接続要求信号を送信してから、少ない信号の授受で、前記接続対象サーバと通信回線を接続することが可能となり、前記通信回線を接続するまでの時間を短縮することができる。また、上述と同様に、データ従量制課金による通信料の低減や、ドメインネームサーバの廃止を実現できる。
【００２９】
【発明の実施の形態】
次に、図面を参照しながら、本発明の実施の形態について説明する。なお、以下の説明において参照する各図においては、他の図と同等部分に同一符号が付されている。
［Ａ．構成］
まず、本発明の構成について説明する。
［Ａ−１．全体構成］
図１は、本発明の一実施形態に係る通信ネットワークシステム１全体の構成を示すブロック図である。図１に示すように、この通信ネットワークシステム１は、ＭＳ１０と、ＭＭＳ２１とＧＭＭＳ２２とを含むパケット通信ネットワーク２０と、ＷＰＣＧ３０と、ＩＳＰサーバ４０と、インターネット網５０とを備えている。
【００３０】
この通信ネットワークシステム１におけるＭＳ１０、ＭＭＳ２１、ＧＭＭ２２間の信号伝送方式は、第３世代移動通信システム（ＩＭＴ−２０００）の標準規格である３ＧＰＰに準拠している。この通信ネットワークシステム１は、制御信号を伝送するＣ−Ｐｌａｎｅプロトコルと、ユーザデータを伝送するＵ−Ｐｌａｎｅプロトコルに従って、信号の授受を行う。なお、以下では、通信ネットワークシステム１の備えるパケット交換と回線交換との機能のうち、パケット交換の機能のみを説明する。
【００３１】
ＭＳ１０とパケット交換ネットワーク２０とは、図示せぬ無線アクセスネットワークで接続されている。無線アクセスネットワークは、無線基地局や無線ネットワーク制御装置を備え、ＭＳ１０とパケット交換ネットワーク２０との間における無線信号の送受信を行う。当該無線アクセスネットワークにおける無線アクセス方式としては、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）が用いられている。
【００３２】
パケット交換ネットワーク２０は、パケット交換を行う。ＷＰＣＧ３０は、プロキシ型のゲートウェイの機能を有し、プロトコル変換を行うことにより、パケット交換ネットワーク２０とインターネット網５０との間でのデータの授受を中継する。ＩＳＰサーバ４０は、インターネット網５０と接続され、ＨＴＴＰ通信により、各種サービス情報をＭＳ１０に提供する。
【００３３】
なお、同図においては、各々１つのＭＳ１０、パケット交換ネットワーク２０、ＷＰＣＧ３０、ＩＳＰサーバ４０のみを図示しているが、実際には複数存在している。また、負荷分散のために、１台のＧＭＭＳ２２に対して、複数台のＷＰＣＧ３０が並列に接続されている。
［Ａ−２．ＷＰＣＧの構成］
次に、ＷＰＣＧ３０の構成を説明する。
【００３４】
ＷＰＣＧ３０は、一般的なコンピュータのハードウェア構成を備えている。すなわち、ＷＰＣＧ３０は、ＷＰＣＧ３０全体を制御するＣＰＵ（Ｃｅｎｔｒａｌ  Ｐｒｏｃｅｓｓｉｎｇ  Ｕｎｉｔ）、起動時に実行されるプログラムを記憶したＲＯＭ（Ｒｅａｄ  Ｏｎｌｙ  Ｍｅｍｏｒｙ）、データを一時的に記憶するＲＡＭ（Ｒａｎｄｏｍ  Ａｃｃｅｓｓ  Ｍｅｍｏｒｙ）、各種データやプログラムを記憶するハードディスク装置、及び、パケット交換ネットワーク２０やインターネット網５０とデータの授受を制御する通信インターフェイスを備えている。
【００３５】
ＷＰＣＧ３０のハードディスク装置には、図２に示すように、通信アドレス記憶領域３１が設けられている。この通信アドレス記憶領域３１には、ＷＰＣＧ３０をインターネット網５０において一意に識別するためのパケット交換サーバＩＰアドレスが記憶されている。また、ＷＰＣＧ３０のハードディスク装置には、ＩＳＰサーバ４０を管理するための情報（ＩＳＰサーバ４０を識別するためのＡＰＮやＩＰアドレス等）が記憶されている。
【００３６】
また、ＷＰＣＧ３０のハードディスク装置には、各種プログラムが記憶されており、当該プログラムをＷＰＣＧ３０のＣＰＵがハードディスク装置より読み出して実行することにより、ＷＰＣＧ３０の以下の機能が実現される。
ＷＰＣＧ３０は、パケット交換ネットワーク２０とインターネット網５０との間のデータの授受を中継するゲートウェイの機能を有する。具体的には、ＷＰＣＧ３０は、呼制御用のＣ−Ｐｌａｎｅプロトコルに従って授受される制御信号や、ユーザデータ伝送用のＵ−Ｐｌａｎｅプロトコル（ＴＣＰ、ＨＴＴＰ、ＤＮＳ）に従って授受されるユーザデータの終端や変換、中継を行う。
【００３７】
また、ＷＰＣＧ３０は、ＭＳ１０より受信した接続通知信号に内包されるＡＰＮより、ＩＳＰサーバ４０を特定し、特定したＩＳＰサーバ４０のＩＰアドレス等の情報や、接続通知信号を送信したＭＳ１０の接続状態等を管理する。
また、ＷＰＣＧ３０は、本発明に特徴的な、図２に示す応答信号送信手段３２を備えている。応答信号送信手段３２は、ＩＳＰサーバ４０より、Ｃ−Ｐｌａｎｅプロトコルに従って、接続通知信号に応答するための接続通知応答信号を受信したときに、通信アドレス記憶領域３１に記憶されているパケット交換サーバＩＰアドレスを読み出す。そして、応答信号送信手段３２は、読み出したパケット交換サーバＩＰアドレスと、ＩＳＰサーバ４０より受信した接続通知応答信号に内包される情報（理由表示やコネクションＩＤ）とに基づいて、図３に示す接続通知応答信号を生成する。そして、応答信号送信手段３２は、生成した接続通知応答信号を、Ｃ−Ｐｌａｎｅプロトコルに従って送信する。
【００３８】
なお、図３に示すように、接続通知応答信号は、ＭＳ１０がＩＳＰサーバ４０に接続可能か否かを表す「理由表示」と、呼を識別するための「コネクションＩＤ」と、「パケット交換サーバＩＰアドレス」を含んで構成される。
また、ＷＰＣＧ３０は、ＭＳ１０とＩＳＰサーバ４０とを中継するＨＴＴＰプロキシサーバの機能を有する。具体的には、ＷＰＣＧ３０は、ＭＳ１０より、Ｕ−Ｐｌａｎｅプロトコルに従って、ＴＣＰコネクション確立要求信号を受信すると、ＭＳ１０とＷＰＣＧ３０との間でＴＣＰコネクションを確立すると共に、ＷＰＣＧ３０とＩＳＰサーバ４０との間でＴＣＰコネクションを確立する。また、ＷＰＣＧ３０は、ＭＳ１０とＩＳＰサーバ４０との間で、Ｕ−Ｐｌａｎｅプロトコルに従って送受信されるＨＴＴＰリクエスト／レスポンスを中継する。
［Ａ−３．パケット交換ネットワーク］
次に、パケット交換ネットワーク２０について説明する。
【００３９】
ＭＭＳ２１とＧＭＭＳ２２との間のデータ（パケット）伝送は、ＡＴＭ（Ａｓｙｎｃｈｒｏｎｏｕｓ  Ｔｒａｎｓｆｅｒ  Ｍｏｄｅ；非同期伝送モード）の伝送方式に従って行われる。ＭＭＳ２１とＧＭＭＳ２２との間には、Ｃ−Ｐｌａｎｅ接続の際に、交換機間の通信回線としてＡＴＭ−ＳＶＣが設定され、コネクション型のルーティングが実現される。
【００４０】
ＭＭＳ２１は、ＭＳ１０が在圏するパケット交換機であり、一般的なコンピュータのハードウェア構成を備えている。ＭＭＳ２１は、ＭＳ１０の電源が投入されると、ＭＳ１０の加入者情報（提供可能なサービスクラスや接続可能なＡＰＮ情報、認証情報等）を、図示せぬサーバよりダウンロードして管理する（アタッチ手順）。
【００４１】
ＭＭＳ２１は、Ｃ−Ｐｌａｎｅプロトコルに従って、ＭＳ１０からＡｃｔｉｖａｔｅ  ＰＤＰ  Ｃｏｎｔｅｘｔ  Ｒｅｑｕｅｓｔ（接続要求信号）を受信したときに、管理している加入者情報を基に接続可否判断を行い、接続要求信号に内包されるＡＰＮから、接続すべきＧＭＭＳ２２を特定するためのアドレス解決処理を行う。そして、ＭＭＳ２１は、透過的に、Ｃｒｅａｔｅ  ＰＤＰ  Ｃｏｎｔｅｘｔ  Ｒｅｑｕｅｓｔ（呼設定要求信号）を、Ｃ−Ｐｌａｎｅプロトコルに従ってＧＭＭＳ２２に送信する。
【００４２】
また、本発明に特徴的な機能として、ＭＭＳ２１は、Ｃ−Ｐｌａｎｅプロトコルにより、パケット交換サーバＩＰアドレスを内包したＣｒｅａｔｅ  ＰＤＰ  Ｃｏｎｔｅｘｔ  Ｒｅｓｐｏｎｓｅ（呼設定応答信号）を受信したときに、透過的に、パケット交換サーバＩＰアドレスを内包したＡｃｔｉｖａｔｅ  ＰＤＰ  Ｃｏｎｔｅｘｔ  Ａｃｃｅｐｔ（接続応答信号）をＭＳ１０に送信する。また、ＭＭＳ２１は、Ｕ−Ｐｌａｎｅプロトコルに従ったユーザデータの授受を中継する。
【００４３】
ＧＭＭＳ２２は、ＩＳＰサーバ４０とのアクセス制御（接続通知、着信通知等）を行う関門交換機であり、一般的なコンピュータのハードウェア構成を備えている。ＧＭＭＳ２２の記憶部には、予め割り当てられた、複数のＩＰアドレスが記憶されている。当該ＩＰアドレスは、ＭＳ１０より、Ｃ−Ｐｌａｎｅプロトコルに従って、Ｃｒｅａｔｅ  ＰＤＰ  Ｃｏｎｔｅｘｔ  Ｒｅｑｕｅｓｔを受信したときに、Ｕ−Ｐｌａｎｅ接続時にＭＳ１０を識別するための通信アドレスとして、ＭＳ１０に動的に割り振られる。
【００４４】
また、ＧＭＭＳ２２は、ＭＭＳ２１から、Ｃｒｅａｔｅ  ＰＤＰ  Ｃｏｎｔｅｘｔ  Ｒｅｑｕｅｓｔを受信したときに、当該呼を識別するためのコネクションＩＤを設定し、当該コネクションＩＤを内包した接続通知信号を、Ｃ−Ｐｌａｎｅプロトコルに従ってＷＰＣＧ３０に送信する。
また、本発明に特徴的な機能として、ＧＭＭＳ２２は、ＷＰＣＧ３０から、Ｃ−Ｐｌａｎｅプロトコルに従って、パケット交換サーバＩＰアドレスを内包した接続通知応答を受信したときに、ＭＳに割り振られたＩＰアドレスと、パケット交換サーバＩＰアドレスとを内包した、Ｃｒｅａｔｅ  ＰＤＰ  Ｃｏｎｔｅｘｔ  Ｒｅｓｐｏｎｓｅ（呼設定応答信号）を生成し、ＭＭＳ２１に送信する。
【００４５】
また、ＧＭＭＳ２２は、ＭＭＳ２１と同様に、Ｕ−Ｐｌａｎｅプロトコルに従ったユーザデータの授受を中継する。
［Ａ−４．ＭＳの構成］
次に、ＭＳ１０の構成を説明する。
ＭＳ１０は、ＩＭＴ−２０００による通信方式に従って無線通信を行う移動体通信端末である。ＭＳ１０は、一般的な、移動体通信端末のハードウェア構成を備えている。すなわち、ＭＳ１０は、ＭＳ１０全体を制御するＣＰＵと、無線通信を行うための無線通信部と、各種キーの操作によりＣＰＵに指令を与える操作部と、通話を行うための通話処理部と、各種画面を表示する表示部と、各種プログラムやデータを記憶する記憶部とを備えている。
【００４６】
ＭＳ１０の記憶部に記憶されている各種プログラムを、ＭＳ１０のＣＰＵが読み出して実行することにより、図４に示す、本発明に特徴的な機能である、ＭＳ１０の応答信号受信手段１１と接続手段１２とが実現される。
応答信号受信手段１１は、Ｃ−Ｐｌａｎｅプロトコルに従って、Ａｃｔｉｖａｔｅ  ＰＤＰ  Ｃｏｎｔｅｘｔ  Ａｃｃｅｐｔを受信する。この、Ａｃｔｉｖａｔｅ  ＰＤＰ  Ｃｏｎｔｅｘｔ  Ａｃｃｅｐｔは、ＩＳＰサーバ４０より送信された接続通知応答信号が、ＷＰＣＧ３０とパケット交換ネットワーク２０とを経由する過程において、パケット交換サーバＩＰアドレスとＭＳのＩＰアドレスとが付加されて、ＭＳ１０に送信されてきたものである。
【００４７】
接続手段１２は、応答信号受信手段１１により受信されたＡｃｔｉｖａｔｅ  ＰＤＰ  Ｃｏｎｔｅｘｔ  Ａｃｃｅｐｔに内包されるパケット交換サーバＩＰアドレスとＭＳ１０のＩＰアドレスとを抽出する。接続手段１２は、抽出したパケット交換サーバＩＰアドレスを送信先アドレスとし、抽出したＭＳ１０のＩＰアドレスを送信元アドレスとして、ＴＣＰコネクション接続要求信号（ＳＹＮパケット）を生成する。そして、接続手段１２は、Ｕ−Ｐｌａｎｅプロトコルに従って、送信先アドレスで識別されるＷＰＣＧ３０宛にＴＣＰコネクション接続要求信号を送信し、３Ｗａｙハンドシェイクにより、ＷＰＣＧ３０とのＴＣＰコネクションを確立する。
また、ＭＳ１０は、ＡＰＮを内包したＡｃｔｉｖａｔｅ  ＰＤＰ  Ｃｏｎｔｅｘｔ  Ｒｅｑｕｅｓｔを送信する機能や、ＨＴＴＰ通信を行う機能を備えている。
【００４８】
［Ｂ．動作］
次に、図５に示すシーケンスチャートと、図６及び図７に示すフローチャートとを参照しながら、上記構成における、本実施形態の動作について説明する。
まず、ユーザは、接続先のＩＳＰサーバ４０を表すＡＰＮを指定して、ＭＳ１０より接続の指示を行う。このときの、図５に示すＳ２０１〜Ｓ２０５までの信号のシーケンスは、図８に示す従来のＳ１０１〜Ｓ１０５までの信号のシーケンスと同様であるため、ＷＰＣＧ３０が、接続通知応答信号Ｓ２０５を受信したときの動作から説明する。
【００４９】
ＷＰＣＧ３０は、接続通知応答信号Ｓ２０５を受信すると、図６のフローチャートに示す応答処理を行う。
具体的には、まず、ＷＰＣＧ３０の応答信号送信手段３２は、アドレス情報記憶領域３１より、パケット交換サーバＩＰアドレスを読み出す（ステップＳ３０１）。そして、応答信号送信手段３２は、読み出したＩＰアドレスと、ＩＳＰサーバ４０より受信した接続通知応答信号Ｓ２０５に内包される「理由表示」“ＯＫ”や、当該呼を識別するための「コネクションＩＤ」とに基づいて、図３に示す接続通知応答信号Ｓ２０６を生成する（ステップＳ３０２）。そして、応答信号送信手段３２は、生成した接続通知応答信号Ｓ２０６を、Ｃ−Ｐｌａｎｅプロトコルに従って、ＧＭＭＳ２２に送信する（ステップＳ３０３）。
【００５０】
ＧＭＭＳ２２は、接続通知応答信号Ｓ２０６を受信すると、ＭＳ１０に割り振られているＩＰアドレスと、接続通知応答信号Ｓ２０６に内包されているパケット交換サーバＩＰアドレスとを内包した、Ｃｒｅａｔｅ  ＰＤＰ  Ｃｏｎｔｅｘｔ  ＲｅｓｐｏｎｓｅＳ２０７を生成し、ＭＭＳ２１に送信する。
ＭＭＳ２１は、Ｃｒｅａｔｅ  ＰＤＰ  Ｃｏｎｔｅｘｔ  ＲｅｓｐｏｎｓｅＳ２０７を受信し、透過的に、Ａｃｔｉｖａｔｅ  ＰＤＰ  Ｃｏｎｔｅｘｔ  ＡｃｃｅｐｔＳ２０８を、ＭＳ１０に送信する。
【００５１】
以上のＣ−Ｐｌａｎｅプロトコルに従って送信された、Ｓ２０１〜Ｓ２０８までの制御信号によりＣ−Ｐｌａｎｅ接続が行われ、ＭＳ１０とＩＳＰサーバ４０との間に制御コネクションが設定される。
次に、ＭＳ１０の応答信号受信手段１１が、Ａｃｔｉｖａｔｅ  ＰＤＰ  Ｃｏｎｔｅｘｔ  ＡｃｃｅｐｔＳ２０８を受信したときのＵ−Ｐｌａｎｅ接続処理について、図７を参照しながら説明する。
【００５２】
ＭＳ１０の応答信号受信手段１１は、Ｃ−Ｐｌａｎｅプロトコルに従って、Ａｃｔｉｖａｔｅ  ＰＤＰ  Ｃｏｎｔｅｘｔ  ＡｃｃｅｐｔＳ２０８を受信する（ステップＳ４０１）と、当該Ａｃｔｉｖａｔｅ  ＰＤＰ  Ｃｏｎｔｅｘｔ  ＡｃｃｅｐｔＳ２０８に内包されている、パケット交換サーバＩＰアドレスとＭＳ１０のＩＰアドレスとを抽出する（ステップＳ４０２）。
そして、接続手段１２は、Ｕ−Ｐｌａｎｅ接続を行う（ステップＳ４０３）。具体的には、接続手段１２は、まず、ＴＣＰコネクションを確立する。すなわち、接続手段１２は、ステップＳ４０２で抽出したパケット交換サーバＩＰアドレスを送信先アドレスとし、ステップＳ４０２で抽出したＭＳ１０のＩＰアドレスを送信元アドレスとして、ＴＣＰコネクション接続要求信号（ＳＹＮパケット）を生成する。
【００５３】
これ以降のＴＣＰコネクション確立処理や、ＨＴＴＰ通信は、上述した従来技術と同様である。すなわち、接続手段１２は、生成したＴＣＰコネクション接続要求信号を、当該送信先アドレスで識別されるＷＰＣＧ３０宛に送信し、３Ｗａｙハンドシェイクにより、ＷＰＣＧ３０とのＴＣＰコネクションＳ２０９を確立する。また、ＷＰＣＧ３０は、プロキシサーバとして動作し、ＩＳＰサーバ４０に対してＵ−Ｐｌａｎｅ接続を行う。すなわち、ＷＰＣＧ３０は、ＩＳＰサーバ４０宛てにＳＹＮパケットを送信し、３ＷａｙハンドシェイクによりＩＳＰサーバ４０との間にＴＣＰコネクションＳ２１０を確立する。
【００５４】
これにより、ＭＳ１０はインターネット網５０に接続された状態（ＭＳ１０とＩＳＰサーバ４０との通信回線が接続された状態）となり、ＭＳ１０は、ＩＳＰサーバ４０とＨＴＴＰ通信Ｓ２１１を行う。
以上説明した通り、従来においては、Ｃ−Ｐｌａｎｅプロトコルにて、パケット交換ネットワーク２０からＭＳ１０に送信される情報は、ＭＳ１０のＩＰアドレスとドメインネームサーバのＩＰアドレスであった。従って、ＭＳ１０は、受信したＭＳ１０のＩＰアドレスを基に、ＤＮＳ要求Ｓ１０９により、パケット交換サーバＩＰアドレスを、ドメインネームサーバに問い合わせる必要があった。そして、ＭＳ１０は、ＤＮＳ応答Ｓ１１０にて得られたパケット交換サーバＩＰアドレスを使用して、ＷＰＣＧ３０とのＴＣＰコネクションＳ１１１を確立していた。
【００５５】
これに対して、本発明においては、接続先のＩＰアドレスをドメインネームサーバより取得するという従来からの考え方を覆し、ＷＰＣＧ３０が送信する接続通知応答信号Ｓ２０６にパケット交換サーバＩＰアドレスを含めるようにした。そして、ＭＳ１０が、Ｃ−ＰｌａｎｅプロトコルによりＡｃｔｉｖａｔｅ  ＰＤＰ  Ｃｏｎｔｅｘｔ  ＡｃｃｅｐｔＳ２０８を受信することで、直接、パケット交換サーバＩＰアドレスを取得できるようにした。このため、Ｕ−Ｐｌａｎｅ接続において、従来のＤＮＳ要求Ｓ１０９、ＤＮＳ応答Ｓ１１０の通信シーケンスを省略した、少ない信号のやり取りで、ＭＳ１０とＩＳＰサーバ４０との間の通信回線を接続することが可能となった。
【００５６】
また、本通信ネットワークシステム１においては、次のような応答データが授受されていることになる。すなわち、サーバを通信網において一意に識別するための通信アドレスが内包される応答データであって、
コンピュータに、
Ｃ−Ｐｌａｎｅプロトコルに従って受信した、前記応答データに含まれる通信アドレスで識別されるサーバに対して、Ｕ−Ｐｌａｎｅプロトコルに従って、通信コネクションの確立を要求するためのデータを送信する機能
を実現させるために用いられる応答データが授受されていることになる。
【００５７】
［Ｃ．変形例］
以上、本発明の実施形態について説明したが、本発明は係る実施形態に限定されるものではなく、その技術思想の範囲内で様々な変形が可能である。変形例としては、例えば、以下のようなものが考えられる。
【００５８】
（１）上記実施形態においては、第３世代移動通信システムに準拠した通信ネットワークシステム１において、ＭＳ１０がインターネット網５０へ接続する態様について説明したが、このような態様に限定されることはない。例えば、接続する通信網の種類は、次世代のＩＰアドレス以外の通信アドレスを用いてルーティングを行う通信網であってもよいし、また、接続要求元は、ＭＳ１０でなくパーソナルコンピュータであってもよい。また、上記実施形態においては、自サーバのＩＰアドレスを接続通知応答信号に内包して送信する装置は、中継装置であるＷＰＣＧ３０であったが、中継装置に限定されることはない。例えば、仮に、Ｕ−Ｐｌａｎｅ接続におけるＭＳ１０の接続先がＩＳＰサーバ４０であれば、自サーバのＩＰアドレスを接続通知応答信号に内包して送信する装置は、ＩＳＰサーバ４０となる。
【００５９】
本発明の技術思想、すなわち、制御信号伝送用のプロトコルに従って伝送される制御信号の中に、次工程のユーザデータ伝送用のプロトコルで使用される通信アドレス等の情報を含めて送信することにより、少ない信号の授受で通信網に接続できるようにするという技術思想は、様々な態様に適用可能であり、例えば、第４世代以降の新たな通信網や装置構成にも適用することが可能である。
【００６０】
（２）上記実施形態においては、接続通知応答信号Ｓ２０６にパケット交換サーバＩＰアドレスを内包することにより、接続通知応答信号Ｓ２０６とパケット交換サーバＩＰアドレスとを共に（同時に）送信できるようにしたが、送信先が、共に（同時に）送信されてきたと認識できるのであれば、接続通知応答信号Ｓ２０６とパケット交換サーバＩＰアドレスとを別データとして送信するようにしても構わない。なお、この場合には、送信先が共に送信されてきたと認識できるようにするために、接続通知応答信号Ｓ２０６とパケット交換サーバＩＰアドレスとに同一の識別番号を付与する等して、データ同士を対応付ける必要がある。
【００６１】
【発明の効果】
以上説明したように、サーバが、自サーバの通信アドレスを、接続要求に応答する応答信号と共に、制御信号伝送用のプロトコルに従って送信するようにし、送信先に直接サーバの通信アドレスを通知するようにしたため、送信先は、従来のように、ドメインネームサーバに対してサーバの通信アドレスを問い合わせるための信号の授受を行うことなく、サーバとの通信コネクションを確立することができる。このように信号の授受が少なくなることにより、接続要求信号を送信してから通信網へ接続するまでの時間を短縮することができる。また、授受されるデータ量が減少するため、データ従量制による課金制の場合、通信料を従来よりも低減することができる。また、従来必要であった、前記サーバのアドレス解決を行うためのドメインネームサーバが必要なくなり、ドメインネームサーバを構築する手間が省ける。
【図面の簡単な説明】
【図１】本発明の実施形態に係る通信ネットワークシステムの構成を示すブロック図である。
【図２】本発明の実施形態に係るＷＰＣＧの機能構成を示すブロック図である。
【図３】本発明の実施形態に係るＷＰＣＧが送信する接続通知応答信号のデータ構成を示す図である。
【図４】本発明の実施形態に係るＭＳの機能構成を示すブロック図である。
【図５】本発明の実施形態に係るＭＳがインターネット網上のＩＳＰサーバに接続する通信シーケンスを説明するためのシーケンスチャートである。
【図６】本発明の実施形態に係るＷＰＣＧの応答処理を説明するためのフローチャートである。
【図７】本発明の実施形態に係るＭＳのＵ−Ｐｌａｎｅ接続処理を説明するためのフローチャートである。
【図８】従来のＭＳがインターネット網上のＩＳＰサーバに接続する通信シーケンスを説明するためのシーケンスチャートである。
【図９】従来のＷＰＣＧが送信する接続通知応答信号のデータ構成を示す図である。
【符号の説明】
１  通信ネットワークシステム
１０  ＭＳ（Ｍｏｂｉｌｅ  Ｓｔａｔｉｏｎ）
１１  応答信号受信手段
１２  接続手段
２０  パケット通信ネットワーク
２１  ＭＭＳ（Ｍｏｂｉｌｅ  Ｍｕｌｔｉｍｅｄｉａ  ｓｗｉｔｃｈｉｎｇ  Ｓｙｓｔｅｍ）
２２  ＧＭＭＳ（Ｇａｔｅｗａｙ  Ｍｏｂｉｌｅ  Ｍｕｌｔｉｍｅｄｉａ  ｓｗｉｔｃｈｉｎｇ  Ｓｙｓｔｅｍ）
３０  ＷＰＣＧ（Ｗｉｒｅｌｅｓｓ  Ｐｒｏｔｏｃｏｌ  Ｃｏｎｖｅｒｓｉｏｎ  Ｇａｔｅｗａｙ）
３１  通信アドレス記憶手段
３２  応答信号送信手段
４０  ＩＳＰ（Ｉｎｔｅｒｎｅｔ  Ｓｅｒｖｉｃｅ  Ｐｒｏｖｉｄｅｒ）サーバ
５０  インターネット網
【図１】
2005027098.tif 000003
【図２】
2005027098.tif 000004
【図３】
2005027098.tif 000005
【図４】
2005027098.tif 000006
【図５】
2005027098.tif 000007
【図６】
2005027098.tif 000008
【図７】
2005027098.tif 000009
【図８】
2005027098.tif 000010
【図９】
2005027098.tif 000011